(57)【特許請求の範囲】
【請求項１】
外周面に複数の識別情報が描かれたリールテープとリール枠とを少なくとも含むリールと、該リールを回転駆動するモータとを備えた遊技機のリール装置において、
前記リール枠が、
前記モータの出力軸に固着される固着部と、
該固着部から前記リールの回転径方向に延設された支持部と、
該支持部の先端部から前記モータの軸線方向モータ側に延設された透明な第１及び第２のリールテープ挟持手段とを備え、
前記リールテープが前記第１及び第２のリールテープ挟持手段に挟持されてなり、
前記第１及び第２のリールテープ挟持手段は、前記リールテープの全体が挿入挟持される空隙を介して同軸円筒状に形成されてなり、
さらに、前記第１のリールテープ挟持手段及び前記第２のリールテープ挟持手段の前記第１のリールテープ挟持手段と前記第２のリールテープ挟持手段との結合部と反対側の端面部並びに前記リールテープのそれぞれに係止部材が係止される切欠きが少なくとも１つ設けられ、
前記係止部材は、
それぞれの前記切欠きに係合する胴部と、
該胴部の両側に設けられ、前記第１のリールテープ挟持手段の外周面側と前記第２のリールテープ挟持手段の内周面側とに係合する一対の鍔部とを有し、
該一対の鍔部が前記第１のリールテープ挟持手段の外周面側と前記第２のリールテープ挟持手段の内周面側から突設するように前記係止部材が係止される
ことを特徴とする遊技機のリール装置。
【請求項２】
前記第１のリールテープ挟持手段と前記第２のリールテープ挟持手段との結合部側に少なくとも１つの突起部が設けられ、前記リールテープに前記突起部に係合する切欠きが設けられ、前記突起部に前記切欠きが係合されてなることを特徴とする請求項１に記載の遊技機のリール装置。
【請求項３】
前記第１又は第２のリールテープ挟持手段の少なくとも一方に前記リールテープの一端部の周方向位置を規制する位置規制部が形成されてなることを特徴とする請求項１又は２に記載の遊技機のリール装置。
【発明の詳細な説明】
【技術分野】
【０００１】
本発明は、例えばスロットマシン等の回胴式遊技機に用いられるリール装置に関する。
【背景技術】
【０００２】
従来、回胴式遊技機や弾球式遊技機など、外周面に描かれた数字や図柄等の複数の識別情報を回転可変表示可能な複数のリール装置を有し、このリール装置によって、例えばリールスタートレバーの操作、打球の特定始動口への入賞等、所定の始動条件の成立に従い複数の識別情報を回転可変表示させ、全てのリールが回転した後、例えばリールストップボタンの操作、所定時間の経過等、所定の停止条件の成立に従い回転可変表示を停止させ、停止したときの識別情報の組み合わせが予め定められた特定の態様（例えば７７７のように全て同じ識別情報が揃う等）となった場合に、例えばボーナスゲームの開始、特定入賞装置の開成等の遊技者にとって有利な遊技状態となるように制御される遊技機がある。
【０００３】
この種の遊技機に用いられるリール装置は、複数の識別情報が描かれた帯状のリールテープが円筒状のリール枠に接着剤又は両面接着テープで貼り付けられて構成されていた。また、一体成型されたリール枠の代わりに、環状の２つのリール枠が、リールテープの両側端部で接着されることで結合される構成のものも提案されている。
【０００４】
【特許文献１】特開２００２−１７９４５号公報
【発明の開示】
【発明が解決しようとする課題】
【０００５】
このような従来の遊技機のリール装置は、接着剤又は両面接着テープをリール枠に塗布又は貼付し、リールテープの貼付始端をリール枠の所定位置に位置決めしながら順に周方向にリールテープを貼付していくため、リール装置の組立作業が煩雑であるという課題があった。
【０００６】
また、リールテープの貼付途中でリール枠に対するリールテープの曲がりやずれが生じた場合等、一度途中まで貼付したリールテープをリール枠から剥離する作業が大変煩雑であり、また綺麗に剥離することが困難であるという課題があった。更に、リール枠を２つの環状部材で構成するものにあっては、その組立作業は一層煩雑なものとなる。
【０００７】
また、遊技機の機種変更等でリールテープを別の配列又は図柄の識別情報が描かれたリールテープと交換する必要がある場合、接着剤が完全硬化している状態で、リール枠からリールテープを剥離してリール枠を再利用することが極めて困難であるという課題があった。
【０００８】
本発明は斯かる従来の課題を解決するためになされたもので、組立作業が容易でリールテープの交換も容易に行うことができるリール装置の提供を目的とする。
【課題を解決するための手段】
【０００９】
本発明の遊技機のリール装置の基本構成は、外周面に複数の識別情報が描かれたリールテープとリール枠とを少なくとも含むリールと、該リールを回転駆動するモータとを備えた遊技機のリール装置において、前記リール枠が、前記モータの出力軸に固着される固着部と、該固着部から前記リールの回転径方向に延設された支持部と、該支持部の先端部から前記モータの軸線方向モータ側に延設された第１及び第２のリールテープ挟持手段とを備え、前記リールテープが前記第１及び第２のリールテープ挟持手段に挟持されてなる。
【００１０】
この遊技機のリール装置は、リール枠に形成された第１及び第２のリールテープ挟持手段がリールテープを挟持してリールを構成し、このリールを駆動モータの出力軸に固着してリール装置を構成する。
【００１１】
請求項１に記載の遊技機のリール装置は、外周面に複数の識別情報が描かれたリールテープとリール枠とを少なくとも含むリールと、該リールを回転駆動するモータとを備えた遊技機のリール装置において、前記リール枠が、前記モータの出力軸に固着される固着部と、該固着部から前記リールの回転径方向に延設された支持部と、該支持部の先端部から前記モータの軸線方向モータ側に延設された透明な第１及び第２のリールテープ挟持手段とを備え、前記リールテープが前記第１及び第２のリールテープ挟持手段に挟持されてなり、前記第１及び第２のリールテープ挟持手段は、前記リールテープの全体が挿入挟持される空隙を介して同軸円筒状に形成されてなり、さらに、前記第１のリールテープ挟持手段及び前記第２のリールテープ挟持手段の前記第１のリールテープ挟持手段と前記第２のリールテープ挟持手段との結合部と反対側の端面部並びに前記リールテープのそれぞれに係止部材が係止される切欠きが少なくとも１つ設けられ、前記係止部材は、それぞれの前記切欠きに係合する胴部と、該胴部の両側に設けられ、前記第１のリールテープ挟持手段の外周面側と前記第２のリールテープ挟持手段の内周面側とに係合する一対の鍔部とを有し、該一対の鍔部が前記第１のリールテープ挟持手段の外周面側と前記第２のリールテープ挟持手段の内周面側から突設するように前記係止部材が係止されることを特徴とする。
【００１６】
請求項２に記載の遊技機のリール装置は、前記第１のリールテープ挟持手段と前記第２のリールテープ挟持手段との結合部側に少なくとも１つの突起部が設けられ、前記リールテープに前記突起部に係合する切欠きが設けられ、前記突起部に前記切欠きが係合されてなることを特徴とする。このリール枠に設けた突起部にリールテープに設けた切欠を係合させることによりリールテープの周方向の位置決めを行う。
【００１７】
また、請求項１に記載の遊技機のリール装置は、第１及び第２の挟持手段のリールテープを挿入する側の端面部とそれに対応するリールテープの側端面に設けた切欠きに係止部材を係止させることによりリールテープの周方向及び軸線方向の位置決めを行う。
【００１８】
請求項３に記載の遊技機のリール装置は、前記第１又は第２のリールテープ挟持手段の少なくとも一方に前記リールテープの一端部の周方向位置を規制する位置規制部が形成されてなることを特徴とする。この位置規制部によりリールテープの周方向の位置を規制する。
【発明の効果】
【００１９】
請求項１に記載の遊技機のリール装置によれば、リールテープをリール枠に形成した第１及び第２のリールテープ挟持手段で挟持してリールを構成し、リール枠の固着部にモータの出力軸を固着してリール装置を構成しているので、リール装置の組み立てに際して接着剤や両面接着テープを使用しないため組立作業を極めて容易なものにすることができる。
【００２０】
また、リールテープの組立て途中でリールテープをリール枠から取り外す事情が生じた場合でも容易にリ−ルテープを取り出すことが可能であり、リールテープ及びリール枠の外観を損ねることもない。
【００２１】
さらに、機種変更等でリールテープを交換する必要が生じた場合にもリールテープを容易に交換することができる。
【００２２】
また、請求項１に記載の遊技機のリール装置によれば、第１及び第２のリールテープ挟持手段を同軸円筒状に形成して構成しているので、リールテープの外周面及び内周面全てがリール枠に挟持されリーテープを保護することができる。
【００２７】
請求項２に記載の遊技機のリール装置によれば、上記請求項１に記載の遊技機のリール装置の効果に加えて、第１のリールテープ挟持手段と第２のリールテープ挟持手段との結合部側に少なくとも１つの突起部を設け、リールテープにはこの突起部に係合する切欠きを設け、この突起部にリールテープの切欠きを係合させて構成しているので、リール枠に対してリールテープを周方向に正確に位置決めすることができる。
【００２８】
また、請求項１に記載の遊技機のリール装置によれば、第１及び第２のリールテープ挟持手段のこれらの結合部と反対側の端面部とリールテープにそれぞれ少なくとも１つの切欠きを設け、この切欠きに係止部材を係止して構成しているので、リール枠に対してリールテープを周方向及び軸線方向に正確に位置決めすることができる。
【００２９】
請求項３に記載の遊技機のリール装置によれば、上記請求項１又は２に記載の遊技機のリール装置の効果に加えて、第１又は第２のリールテープ挟持手段の少なくとも一方にリールテープの一端部の周方向位置を規制する位置規制部を形成して構成しているので、リール枠にリールテープを挿入して組立てる際にリールテープの始端又は終端が常に位置規制された状態でリールテープを挿入していくことができるので、リールの組立て作業をより容易に行うことができる。
【発明を実施するための最良の形態】
【００３０】
以下、本発明に係る回胴式遊技機としてスロットマシンを例にその好適な実施形態を説明する。ここで、図１はスロットマシンの外観を表す正面図、図２はスロットマシンの前扉を開放してその内部の構造を表した図である。
【００３１】
まず図１を参照し、スロットマシン１の外観構造を説明する。スロットマシン１は、いわゆるフロントマスクを形成する前扉２が略矩形状の箱体である筐体（図２の符号３参照）の開口部に対し開閉可能に取り付けられている。前扉２は、視覚効果を高めてデザインされた上部パネル部４、下部パネル部５及び操作卓６に概ね区分けされ、これらは硬質プラスチックにより一体的に形成されている。
【００３２】
上部パネル部４の上部及び側部には、高輝度の発光ダイオードを内蔵する演出用照明部７、８ａ、８ｂがそれぞれ配置されている。また、スピーカを内蔵し遊技に係る効果音を発生させる演出用放音部９ａ、９ｂが上部パネル部４の左右にそれぞれ配置されている。また、演出用放音部９ａ、９ｂの間には、遊技の演出に係る映像を主に表示する演出表示装置としての液晶表示ユニット１０が配置されている。
【００３３】
更に上部パネル部４には平板状のパネル面を有するパネルユニット１１が取り付けられ、その中央に略長方形の透明な表示窓１２が形成されている。表示窓１２を通して目視されるリール装置１３ａ、１３ｂ、１３ｃは、それぞれ円筒形状を有して独立して回転可能であり、筐体内において回転軸方向に３個配列されている。遊技者は、各リール装置１３ａ、１３ｂ、１３ｃの外周面に配置した複数種類の図柄（識別情報）のうち縦３個、横３列の図柄を、表示窓１２を通して目視することができる。
【００３４】
上部パネル部４と下部パネル部５との間に設けられている操作卓６には、ゲームに用いるメダルを投入するための投入口を有するメダル投入部１４と、ベットボタン１５と、スタートレバー１６と、ストップボタン１７ａ、１７ｂ、１７ｃがそれぞれ配設されている。
【００３５】
ベットボタン１５は、スロットマシンの当該ゲームに賭けるメダルの枚数を提示するための押圧操作可能なボタンスイッチである。スタートレバー１６は、リール装置１３ａ、１３ｂ、１３ｃの回転開始の操作をするための傾倒操作可能なレバースイッチである。リール装置１３ａ、１３ｂ、１３ｃの回転停止の操作をするためのストップボタン１７ａ、１７ｂ、１７ｃは、それぞれ押圧操作可能なボタンスイッチから形成され、各リール装置１３ａ、１３ｂ、１３ｃの配列に対応してそれぞれ並べて配置されている。
【００３６】
下部パネル部５には、スロットマシン１のモデルタイプを遊技者へ認識させる等のため、登場キャラクタの絵などを表示するパネル２１が設けられている。また、下部パネル部５の下側部には、メダルを貯留するための受皿部２３が形成された受皿ユニット２２が設けられている。また受皿ユニット２２には、入賞時にメダルを排出するメダル払出口２４と、スピーカを内蔵し演出効果音を発生させる演出用放音部２５とがそれぞれ配置されている。
【００３７】
次に、図２を参照して、筐体３の内部構造と前扉２の裏面構造とを説明する。同図において、筐体３内の上部には、ＣＰＵ、ＲＯＭ、ＲＡＭ等を備えるマイクロコンピュータから形成される制御基板であって、スロットマシン１の全体動作を集中して制御するメイン制御基板３０が硬質プラスチックの基板ケースに被覆されたメイン制御装置３１が取り付けられている。
【００３８】
筐体３内の中央には、リール装置１３ａ、１３ｂ、１３ｃを備える可変表示装置としてのリールユニット１３が設けられている。リールユニット１３は、前扉２のパネルユニット１１に形成された表示窓１２に対しリール装置１３ａ、１３ｂ、１３ｃが対向するように、筐体３のフレーム３２に位置決めされて取り付けられている。
【００３９】
また、リールユニット１３の上部には、各リール装置１３ａ、１３ｂ、１３ｃを回転駆動するステッピングモータへ４相の駆動パルス信号を送出する図示しない回胴装置基板が取り付けられており、メイン制御基板３０が回胴装置基板に回胴駆動（励磁）パルスデータを送出することで、各リールの回転と制動及び停止の制御を行っている。
【００４０】
リールユニット１３の下方には、メダル投入部１５から投入されたメダルを貯留し入賞の配当の際に排出口３３ａからメダルを排出するメダル払出装置としてのホッパ装置３３と、ホッパ装置３３から溢れたメダルを収容する補助貯留部３４と、スロットマシン１に内蔵される各機器へ電力を配電する主電源装置３５が設けられている。
【００４１】
次に、前扉２の裏面側上部には、上述の演出用照明部７を構成する発光ダイオード４３と、演出用放音部９ａ、９ｂに対向するスピーカ４２ａ、４２ｂが取り付けられている。また、図２には示していないが、スピーカ４２ａ、４２ｂの間に、液晶表示ユニット１０が取り付けられ、液晶表示ユニット１０の裏面側に当該液晶表示ユニット等を制御駆動するサブ制御基板４０が基板ケースに被覆されたサブ制御装置４１が取り付けられている。
【００４２】
なお、スロットマシン１の全体の動作は、筐体３側に設けられているメイン制御基板３０によって統括制御されており、サブ制御基板４０は、液晶表示ユニット１０による演出映像の表示制御、演出用照明部７、８ａ、８ｂ等を使った照明制御、及び演出用放音部９ａ、９ｂ、２５を使った演出効果音制御など、ゲームの演出に係る制御を主に行なっている。
【００４３】
サブ制御装置４１の下方には、透明な表示窓１２が形成されたパネルユニット１１が配置される。また、パネルユニット１１は、リール装置１３ａ、１３ｂ、１３ｃの外周面を照射して図柄を明るく表示させるための冷陰極蛍光ランプ４４と、冷陰極蛍光ランプ４４を駆動するインバータ４５と、スタートレバー１６及びストップボタン１７ａ、１７ｂ、１７ｃ等の操作スイッチ類の出力信号をメイン制御基板３０へ転送する中継基板である中央表示基板４６とを備え、これらがユニット化されている。
【００４４】
パネルユニット１１の下方には、メダル選別装置４７が取り付けられている。メダル選別装置４７は、メダル投入部１４に投入されたメダルの適否を判別し、規定のメダルのみを選別する。メダル選別装置４７は、内蔵するメダルセンサが投入されたメダルを検知したとき、メダル投入コマンド信号をメイン制御基板３０へ送出している。
【００４５】
メダル選別装置４７の下方には、選別された規定のメダルをホッパ装置３３へ案内するためのガイド部材４８と、メダル選別装置４７により排除されたメダル（又は異物）をメダル排出口２４へ案内するためのガイド部材４９と、入賞の際にホッパ装置３３の排出口３３ａから排出されたメダルをメダル排出口２４へ案内するためのガイド部材５０が設けられている。更に、メダル排出口２４に隣接して、上述した演出用放音部２５に対向するスピーカ５１が取り付けられている。
【００４６】
かかる構成のスロットマシン１は、先のゲームにおいて入賞しメダルの払い出しが完了した時、又は先のゲームにおいてハズレが確定すると待機状態となる。この状態において、何れかのベットボタン１５が押圧操作されると、内部に貯留したメダル（クレジット）から当該ゲームにメダルが賭けられ、ゲームが開始される。
【００４７】
ゲーム開始の状態で、スタートレバー１６が傾倒操作されると、メイン制御基板３０はリール装置１３ａ、１３ｂ、１３ｃを一斉に回転させ始める。同時に入賞役を内部的な処理で抽選し、その結果を役抽選フラグ（メモリ）に記憶する。
【００４８】
次に、遊技者がストップボタン１７ａ、１７ｂ、１７ｃを任意の順番で押圧操作すると、メイン制御基板３０は、それに従い順次、対応するリールを停止させる。そして、全てのリール装置１３ａ、１３ｂ、１３ｃが停止したことを検知すると、各リール装置１３ａ、１３ｂ、１３ｃに表示された図柄の組み合わせが、上述の役抽選フラグに記憶された入賞役に係る図柄の組み合わせと一致しているか否か判定する。これらが一致したときには、当該入賞が確定し、その入賞役の種類に応じた配当数のメダルをクレジットに加算する。入賞の配当によりクレジットが上限を超える場合には、ホッパ装置３３から超過分のメダルを受皿部２３へ払い出している。
【実施例１】
【００４９】
本発明の遊技機のリール装置は上述したリールユニット１３に用いて好適するものであり、以下、図３乃至図７を参照して本発明の第１実施例について詳述する。なお、図３はリールユニット１３の外観を示す斜視図、図４はリール装置１３ａ、１３ｂ、１３ｃに設けられるリールテープ１２０の一例を示す展開図、図５はリール２００の組立作業を説明するための斜視図、図６は図５のリール２００の要部断面図、図７はリールユニット１３に備えられた一つのリール装置１３ａの分解斜視図である。
【００５０】
図３においてリールユニット１３は、それぞれ取付板１４２に取付けられた３台のリール装置１３ａ、１３ｂ、１３ｃが並設されるよう、これら取付板１４２を底板１４６と天板１４７に固定して構成されている。ここで符号１４８はリールユニット１３の天板１４７に取付けられた回胴制御装置を示し、図示しない回胴制御基板を備えている。回胴制御基板は上述したメイン制御基板３０から送出されるパルスデータに従って、各リール装置１３ａ、１３ｂ、１３ｃのそれぞれ個別のステッピングモータ１４０に回胴駆動パルスを供給して各リール装置１３ａ、１３ｂ、１３ｃの回転、制動及び停止の制御を行うものである。
【００５１】
図４は本発明のリール装置１３ａ、１３ｂ，１３ｃに用いられるリールテープ１２０の一例を示す展開図であり、このリ−ルテープ１２０は帯状のプラスチックフィルムで形成され、外周面に複数の数字や図柄による識別情報１２１が描かれている。このリールテープ１２０はその始端１２２を終端１２３の近傍に設けた重ね合わせ部１２４に重ねるように円筒状に構成される。
【００５２】
図５はリール枠１３０にリールテープ１２０を挟持させてリール２００を組立てる手順を説明する図であり、図５（Ａ）はリール枠１３０にリールテープ１２０を組み込む前のリール枠１３０とリールテープ１２０の位置関係を示す斜視図、図５（Ｂ）はリール枠１３０にリールテープ１２０を組み込む途中の状態を示す斜視図、図５（Ｃ）はリール枠１３０にリールテープ１２０を組み込み終えてリール２００が完成した状態を示す斜視図である。
【００５３】
図５（Ａ）において、リール枠１３０は透明な硬質プラスチック材料を成型して形成されている。このリール枠１３０には、ここでは図示しないステッピングモータ１４０への固着部１３２と、この固着部１３２からリール２００の回転径方向外側に延設された複数の支持部１３４が形成されており、その先端部１３８は円環状に構成されている。この円環状の先端部１３８から軸線方向に、第１及び第２のリールテープ挟持手段となる中空円筒状の外側円筒部１３５と内側円筒部１３６が延設されて一体的に形成されている。これら外側円筒部１３５と内側円筒部１３６は、その外側円筒部１３５の内周面と内側円筒部１３６の外周面が、リールテープ１２０が挿入され挟持される円筒状空隙１３７を介して対向するように同軸状に同幅に形成されている。このリール枠１３０に形成された円筒状空隙１３７内に、円筒状に形成されたリールテープ１２０が挿入され（図５（Ｂ）参照）、そのリールテープ１２０の外周面及び内周面が外側円筒部１３５の内周面と内側円筒部１３６の外周面によって挟持されてリール２００が構成される（図５（Ｃ）参照）。このようにして構成されたリール２００は、外側円筒部１３５を含むリール枠１３０が透明な硬質プラスチック材料で成型されているため、リール２００の外側からリールテープ１２０に描かれた複数の識別情報１２１が視認可能となっている。
【００５４】
図６は図５（Ｃ）の要部断面図であり、リールテープ１２０がリール枠１３０に形成された外側円筒部１３５と内側円筒部１３６の間に形成された円筒状空隙部１３７内に、外側円筒部１３５と内側円筒部１３６によって挟持されてリール２００を構成している状態を示す。この実施例によれば、リール２００の組み立てに際して接着剤や両面接着テープ等を一切必要としないため、リール２００の組立作業を極めて容易にすることができる。
【００５５】
図７は本発明のリール装置１３ａの一実施例を示す分解斜視図である。図７において、金属板を型抜きして折り曲げ加工した取付板１４２にはリール２００を回転、停止するステッピングモータ１４０と、バックライトユニット枠１４３と、フォトカプラ１４５が取付けられている。そしてリール枠１３０の固着部１３２の中心に設けられた挿入孔１３３にステッピングモータ１４０の出力軸１４１が挿通され堅固に固着されてリール装置１３ａが構成される。
【００５６】
バックライトユニット枠１４３には図示しない発光ダイオード等の光源が配置される３つの個室１４４が設けられており、これらの個室１４４に配置された発光ダイオードがリール２００の内側からリールテープ１２０に描かれた識別情報１２１に光を照射して視覚的な効果演出を行う。従って、リールテープ１２０に描かれる識別情報は、光透過性の塗料を用いて形成されることが好ましい。
【００５７】
フォトカプラ１４５は、リール枠１３０の支持部１３４の一部に形成された遮光片１３９の通過を検出して検出信号を出力するものであり、この出力信号はリール２００の回転位置を検知する基準信号として用いられる。
【実施例２】
【００５８】
次に図８及び図９を参照して本発明の第２実施例を詳述する。図８はこの第２実施例に用いられるリール枠３３０の斜視図であり、図９は図８のリール枠３３０にリールテープ１２０を組み込んで構成したリール３００の要部断面図である。なお、第１実施例と同等の機能を有する部材、部位には同一の符号を付し、詳細な説明を省略する。
【００５９】
図８において、リール枠３３０には第１のリールテープ挟持手段としての外側円筒部３３５と第２のリールテープ挟持手段３３６が支持部１３４の先端部１３８から軸線方向に延設されて形成されている。図示のように第２のリールテープ挟持手段３３６は、リールテープ１２０の一端面部を挟持するための第１の環状部３１１と他端面部を挟持するための第２の環状部３１２とを軸線方向に延設された複数の梁部３１３、３１３、・・・で結合した形状に形成されている。
【００６０】
図９に示すように、リールテープ１２０は、第１のリールテープ挟持手段である外側円筒部３３５と、第２のリールテープ挟持手段３３６の２つの環状部３１１、３１２及び梁部３１３との間の略円筒状の空隙３３７内に挿入され、これら外側円筒部３３５の内周面と２つの環状部３１１、３１２及び梁部３１３の外周面とで挟持される。
【００６１】
このように構成された第２実施例のリール３００は、第１実施例と同様に接着剤や両面接着テープを一切用いないため、リール枠３３０へのリールテープ１２０の組み込みが極めて容易に行われるとともに、第１実施例に比してリール３００を軽量化することができる。また、リールテープ１２０を交換する必要が生じた場合は、第２のリールテープ挟持手段３３６の隣接する梁部３１３、３１３の間の空間３１４にリールテープ１２０の内周面が露出しているため、リールテープ１２０をリール枠３３０から容易に取り外すことができ、リールテープ１２０の交換作業が容易となる。
【００６２】
このリール３００も図７に示す第１実施例のリール２００と同様に、固着部１３２の挿入孔１３３にステッピングモータ１４０の出力軸１４１が挿通され堅固に固着されてリール装置１３ａが構成される。
【実施例３】
【００６３】
以下、図１０乃至図１２を参照して本発明に適用可能なリール枠の変形例について説明する。図１０は第１実施例及び第２実施例のリール枠１３０及び３３０に代替可能なリール枠４３０を示す斜視図である。この第３実施例のリール枠４３０には、第１のリールテープ挟持手段４３５と第２のリールテープ挟持手段４３６が支持部１３４の先端部１３８から軸線方向に延設されて形成されている。図示のようにこの第１及び第２のリールテープ挟持手段４３５及び４３６は、それぞれリールテープ１２０（図示せず）の一端面部を挟持するための第１の環状部４２１及び４１１と他端面部を挟持するための第２の環状部４２２及び４１２とを軸線方向に延設された複数の梁部４２３、４２３・・・及び４１３、４１３・・・で結合した形状に形成されている。
【００６４】
図示しないリールテープ１２０は、第１のリールテープ挟持手段４３５の２つの環状部４２１、４２２及び梁部４２３と、第２のリールテープ挟持手段４３６の２つの環状部４１１、４１２及び梁部４１３との間の略円筒状の空隙４３７内に挿入され、これら第１のリールテープ挟持手段４３５の２つの環状部４２１、４２２及び梁部４２３の内周面と、第２のリールテープ挟持手段４３６の２つの環状部４１１、４１２及び梁部４１３の外周面とで挟持される。
【００６５】
この第３実施例に用いられるリール枠４３０によれば、第１実施例及び第２実施例と同様に接着剤や両面接着テープを一切用いないため、リール枠４３０へのリールテープ１２０の組み込みが極めて容易に行われるとともに、第１実施例及び第２実施例に比して更にリール枠４３０を軽量化することができる。また、リールテープ１２０を交換する必要が生じた場合は、第１及び第２のリールテープ挟持手段４３５及び４３６の隣接する梁部４２３、４２３及び４１３、４１３の間の空間４２４及び４１４にリールテープ１２０の外周面及び内周面が露出しているため、リールテープ１２０をリール枠４３０から極めて容易に取り外すことができ、リールテープ１２０の交換作業が容易となる。
【実施例４】
【００６６】
図１１は第１実施例乃至第３実施例のリール枠１３０、３３０及び４３０に代替可能なリール枠５３０を示す斜視図である。この第４実施例のリール枠５３０には、第１のリールテープ挟持手段としての外側円筒部５３５と第２のリールテープ挟持手段５３６が支持部１３４の先端部１３８から軸線方向に延設されて形成されている。図示のようにこの第２のリールテープ挟持手段５３６は、リールテープ１２０（図示せず）の一端面部を挟持するための環状部５１１とこの環状部５１１から軸線方向に延設された複数の梁部５１３、５１３・・・で形成されている。
【００６７】
図示しないリールテープ１２０は、第１のリールテープ挟持手段である外側円筒部５３５と、第２のリールテープ挟持手段５３６の環状部５１１及び梁部５１３との間の略円筒状の空隙５３７内に挿入され、これら外側円筒部５３５の内周面と、第２のリールテープ挟持手段５３６の環状部５１１及び梁部５１３の外周面とで挟持される。なお、本実施例において第２のリールテープ挟持手段５３６の環状部５１１は必ずしも設けることはなく、複数の梁部５１３のみで第２のリールテープ挟持手段５３６を形成してもよい。
【００６８】
この第４実施例に用いられるリール枠５３０によれば、第１実施例乃至第３実施例と同様に接着剤や両面接着テープを一切用いないため、リール枠５３０へのリールテープ１２０の組み込みが極めて容易に行われるとともに、第１実施例及び第２実施例に比して更にリール枠５３０を軽量化することができる。また、リールテープ１２０を交換する必要が生じた場合は、第２のリールテープ挟持手段５３６の隣接する梁部５１３、５１３の間の空間５１４にリールテープ１２０の内周面が露出しているため、リールテープ１２０をリール枠５３０から容易に取り外すことができ、リールテープ１２０の交換作業が容易となる。また、リール枠５３０を成型する金型の構造を簡素にすることができる。
【実施例５】
【００６９】
図１２は第１実施例乃至第４実施例のリール枠１３０、３３０、４３０及び５３０に代替可能なリール枠６３０を示す斜視図である。この第５実施例のリール枠６３０には、第１のリールテープ挟持手段６３５と第２のリールテープ挟持手段６３６が支持部１３４の先端部１３８から軸線方向に延設されて形成されている。図示のようにこの第１及び第２のリールテープ挟持手段６３５及び６３６は、それぞれリールテープ１２０（図示せず）の一端面部を挟持するための環状部６２１及び６１１とこの環状部６２１及び６１１から軸線方向に延設された複数の梁部６２３、６２３・・・及び６１３、６１３・・・で形成されている。
【００７０】
図示しないリールテープ１２０は、第１のリールテープ挟持手段６３５の環状部６２１及び梁部６２３と、第２のリールテープ挟持手段６３６の環状部６１１及び梁部６１３との間の空隙６３７内に挿入され、これら第１のリールテープ挟持手段６３５の環状部６２１及び梁部６２３の内周面と、第２のリールテープ挟持手段６３６の環状部６１１及び梁部６１３の外周面とで挟持される。なお、本実施例において第１及び第２のリールテープ挟持手段６３５及び６３６の環状部６２１及び６１１は必ずしも設けることはなく、複数の梁部６２３及び６１３のみで第１及び第２のリールテープ挟持手段６３５及び６３６を形成してもよい。
【００７１】
この第５実施例に用いられるリール枠６３０によれば、第１実施例乃至第４実施例と同様に接着剤や両面接着テープを一切用いないため、リール枠６３０へのリールテープ１２０の組み込みが極めて容易に行われるとともに、第１実施例乃至第４実施例に比して更にリール枠６３０を軽量化することができる。また、リールテープ１２０を交換する必要が生じた場合は、第１及び第２のリールテープ挟持手段６３５及び６３６の隣接する梁部６２３、６２３及び６１３、６１３の間の空間６２４及び６１４にリールテープ１２０の外周面及び内周面が露出するため、リールテープ１２０をリール枠６３０から極めて容易に取り外すことができ、リールテープ１２０の交換作業が容易となる。また、リール枠５３０を成型する金型の構造を簡素にすることができる。
【実施例６】
【００７２】
図１３は本発明の更に他の実施形態を説明するための、リール枠１３０を一部破断して示す分解斜視図である。図において第１実施例と同等の機能を有する部材、部位には同一の符号を付し、詳細な説明は省略する。
【００７３】
図１３において、リール枠１３０に形成された第１のリールテープ挟持手段である外側円筒部１３５と第２のリールテープ挟持手段である内側円筒部１３６との間の円筒状空隙部１３７にリールテープ１２０を挿入して、これら外側円筒部１３５の内周面と内側円筒部１３６の外周面とでリールテープ１２０を挟持してリール７００を構成する手順は上述の実施例と同様である。本実施例では、リール枠１３０が、第１のリールテープ挟持手段である外側円筒部１３５と第２のリールテープ挟持手段である内側円筒部１３６との結合部に円筒状空隙１３７内に突設された突起部１１１を備えている。
【００７４】
またリールテープ１２０には、リール枠１３０に設けられた突起部１１１に対応する所定の位置に、この突起部１１１に係合する切欠き１２５が形成されている。そしてリールテープ１２０をリール枠１３０の円筒状空隙１３７に挿入する際、リールテープ１２０の切欠き１２５をリール枠１３０の突起部１１１に係合させてリール７００を構成している。
【００７５】
このように構成した第６実施例のリール７００は、リールテープ１２０に設けられた切欠き１２５がリール枠１３０に設けられた突起部１１１に係合しているので、リール枠１３０に対するリールテープ１２０の周方向の位置決めが容易になされる。また、リール７００の回転中にリール枠１３０の中のリールテープ１２０が周方向に移動するという不具合を防止することができる。
【００７６】
また、上記突起部１１１は少なくとも一つ設ければ本発明の目的を達成できるものであるが、必要に応じて周方向に複数個設けてもよい。この場合、リールテープ１２０の切欠き１２５も突起部１１１に対応する個数を対応する箇所に設ければよい。リール枠１３０も第１実施例のものを基本に説明したが、第２実施例乃至第５実施例のリール枠３３０、４３０、５３０又は６３０に突起部１１１を設けて構成してもよい。
【実施例７】
【００７７】
図１４は本発明の更に他の実施形態を説明するため図であり、図１４（Ａ）は本実施例のリール枠８００の構成を説明するための分解斜視図、図１４（Ｂ）は本実施例に用いられる係止部材１１２の拡大斜視図、図１４（Ｃ）は本実施例に用いられるリールテープ１２０に設けられた切欠きを示す要部拡大斜視図、図１４（Ｄ）は本実施例に用いられるリール枠１３０に設けられた切欠き１１６、１１７を示す要部拡大斜視図、図１４（Ｅ）は本実施例のリール８００の要部拡大斜視図である。図において第１実施例と同等の機能を有する部材、部位には同一の符号を付し、詳細な説明は省略する。
【００７８】
図１４（Ａ）において、リール枠１３０に形成された第１のリールテープ挟持手段である外側円筒部１３５と第２のリールテープ挟持手段である内側円筒部１３６との間の円筒状空隙部１３７にリールテープ１２０を挿入して、これら外側円筒部１３５の内周面と内側円筒部１３６の外周面とでリールテープ１２０を挟持してリール８００を構成する手順は上述の実施例と同様である。本実施例では図１４（Ｄ）に拡大して示すように、リール枠１３０が、第１のリールテープ挟持手段である外側円筒部１３５と第２のリールテープ挟持手段である内側円筒部１３６との結合部と反対側の端面部、即ち円筒状空隙１３７の開口端側に、後述する係止部材１１２が係止される切欠き１１６及び１１７を備えている。
【００７９】
またリールテープ１２０には図１４（Ｃ）に拡大して示すように、リール枠１３０に設けられた切欠き１１６及び１１７に対応する所定の位置に、これら切欠き１１６及び１１７と略同形状の切欠き１２６が形成されている。
【００８０】
上記リール枠１３０に設けられた切欠き１１６及び１１７とリールテープに設けられた切欠き１２６が一致するようにリールテープ１２０をリール枠１３０の円筒状空隙１３７に挿入し、これらの切欠き１１６、１１７及び１２６に係合するように係止部材１１２を係止してリール８００を構成する。
【００８１】
係止部材１１２はポリアミド系樹脂等から形成され、図１４（Ｂ）に拡大して示すように上記切欠き１１６、１１７及び１２６に係合する胴部１１３とこの胴部１１３の両側に設けられた一対の鍔部１１４及び１１５を備えている。図１４（Ｅ）は係止部材１１２が切欠き１１６、１１７及び１２６に係止した状態を示す要部拡大断面図である。係止部材１１２の胴部１１３が切欠き１１６、１１７及び１２６に係合し、この胴部１１３の両端に形成された一対の鍔部１１４及び１１５にてリール枠１３０の端縁部に係止している。
【００８２】
この実施例によれば、リールテープ１２０をリール枠１３０に対して周方向に正確に位置決めできるとともに、リールテープ１２０の軸線方向の位置も正確に規制することができる。また、係止部材１１２にリールテープ１２０の識別情報や背景色に対して際立つ彩色を施すことによって、遊技者が特定の識別情報（例えば「７」や「ＢＡＲ」等）を狙ってストップボタン１７ａ、１７ｂ、１７ｃ（図１参照）を操作する所謂「目押し」を行う際の目印として利用することもできる。
【００８３】
また、上記切欠き１１６、１１７及び１２６並びに係止部材１１２は少なくとも一組設ければ本発明の目的を達成できるものであるが、必要に応じて周方向に複数箇所設けてもよい。リール枠１３０も第１実施例のものを基本に説明したが、第２実施例乃至第５実施例のリール枠３３０、４３０、５３０又は６３０に応用展開してもよい。
【実施例８】
【００８４】
図１５は本発明の更に他の実施形態を説明するための図であり、図１５（Ａ）はリール枠１３０にリールテープ１２０を組み込んでリール９００を組立てる状態を示す斜視図、図１５（Ｂ）は組立て後のリール９００の要部を示す平面図である。図において第１実施例と同等の機能を有する部材、部位には同一の符号を付し、詳細な説明は省略する。
【００８５】
図１５において、リール枠１３０に形成された第１のリールテープ挟持手段である外側円筒部１３５と第２のリールテープ挟持手段である内側円筒部１３６との間の円筒状空隙部１３７にリールテープ１２０を挿入して、これら外側円筒部１３５の内周面と内側円筒部１３６の外周面とでリールテープ１２０を挟持してリール９００を構成する手順は上述の実施例と同様である。本実施例では、図１５（Ｂ）に示すように、リール枠１３０の第１のリールテープ挟持手段である外側円筒部１３５の内周面にリールテープ１２０の周方向の位置を規制する位置規制部１１８が凹設されている。この位置規制部１１８は外側円筒部１３５の内周面に軸線方向に凹設されるよう、リール枠１３０の成型時に一体的に形成される。
【００８６】
本実施例のリール９００によれば、リール枠１３０にリールテープ１２０を組み込む際、リールテープ１２０の始端１２２を位置規制部１１８に当接させながらリール枠１３０に組み込むことにより、リールテープ１２０のリール枠１３０に対する周方向位置を規制することができるので、リールテープ１２０の周方向の位置決めが容易であり、組立作業性が向上する。
【００８７】
なお、位置規制部１１８はリール枠１３０の外側円筒部１３５の内周面ではなく内側円筒部１３６の外周面に設けてもよく、或いは外側円筒部１３５の内周面と内側円筒部１３６の内周面の双方に設けてもよい。リール枠１３０も第１実施例のものを基本に説明したが、第２実施例乃至第５実施例のリール枠３３０、４３０、５３０又は６３０に応用展開してもよい。
【産業上の利用可能性】
【００８８】
本発明に係る遊技機のリール装置は、スロットマシンやパチンコ遊技機等、回転表示器を備えた遊技機に利用して好適するものである。
【図面の簡単な説明】
【００８９】
【図１】本発明に係る遊技機としてのスロットマシンの正面図である。
【図２】図１のスロットマシンの内部構造を表した図である。
【図３】本発明に係るリールユニットを示す斜視図である。
【図４】本発明に係るリールテープの展開図である。
【図５】本発明に係るリールの組立作業を説明するための斜視図である。
【図６】図５のリールの要部断面図である。
【図７】本発明に係るリール装置の分解斜視図である。
【図８】本発明に係るリール枠の他の実施例を示す斜視図である。
【図９】図８のリールの要部断面図である。
【図１０】本発明に係るリール枠の更に他の実施例を示す斜視図である。
【図１１】本発明に係るリール枠の更に他の実施例を示す斜視図である。
【図１２】本発明に係るリール枠の更に他の実施例を示す斜視図である。
【図１３】本発明に係るリールの他の実施例を示す斜視図である。
【図１４】本発明に係るリールの更に他の実施例を示す斜視図である。
【図１５】本発明に係るリールの更に他の実施例を示す斜視図である。
【符号の説明】
【００９０】
１３ａ、１３ｂ、１３ｃ  リール装置
１１１  突起部
１１２  係止部材
１１６、１１７、１２５、１２６  切欠き
１１８  位置規制部
１２０  リールテープ
１２１  識別情報
１３０、３３０、４３０、５３０、６３０  リール枠
１３２  固着部
１３４  支持部
１３５、３３５、４３５、５３５、６３５  第１のリールテープ挟持手段
１３６、３３６、４３６、５３６、６３６  第２のリールテープ挟持手段
１３８  先端部
１４０  モータ（ステッピングモータ）
１４１  出力軸
２００、３００、７００、８００、９００  リール
３１１、３１２、４１１、４１２、４２１、４２２、５１１、６１１、６２１  環状部
３１３、４１３、４２３、５１３、６１３、６２３  梁部
【図１】
0004721179.tif 000002
【図２】
0004721179.tif 000003
【図３】
0004721179.tif 000004
【図４】
0004721179.tif 000005
【図５】
0004721179.tif 000006
【図６】
0004721179.tif 000007
【図７】
0004721179.tif 000008
【図８】
0004721179.tif 000009
【図９】
0004721179.tif 000010
【図１０】
0004721179.tif 000011
【図１１】
0004721179.tif 000012
【図１２】
0004721179.tif 000013
【図１３】
0004721179.tif 000014
【図１４】
0004721179.tif 000015
【図１５】
0004721179.tif 000016